(57)【要約】【課題】簡易な構成で外部への延焼を防止することができる電子・電気機器用筐体を提供する。【解決手段】電子・電気機器用筐体は、複数の開口部が設けられた外面を有し、電子・電気部品を収納した本体と、前記本体に取り付けられる位置を変化させることにより前記複数の開口部のうちで外部へ露出する開口部と外部から遮蔽する開口部とを変更するように形成されたカバーと、を備えた。当該構成を備えることにより、外部への延焼を防止することができる。【選択図】図６
2014213139.tif 000002
【特許請求の範囲】
【請求項１】
複数の開口部が設けられた外面を有し、電子・電気部品を収納した本体と、
前記本体に取り付けられる位置を変化させることにより前記複数の開口部のうちで外部へ露出する開口部と外部から遮蔽する開口部とを変更するように形成されたカバーと、
を備えた電子・電気機器用筐体。
【請求項２】
前記カバーは、前記複数の開口部のうちで外部から遮蔽する開口部との間に隙間を形成した請求項１に記載の電子・電気機器用筐体。
【請求項３】
前記カバーは、前記本体に取り付けられる位置を変化させることにより前記複数の開口部と重なる開口部の位置と前記複数の開口部と重ならない開口部との位置とを変更するように形成された請求項１又は請求項２に記載の電子・電気機器用筐体。
【請求項４】
前記本体は、複数の開口部の列が等間隔で並んだ外面を有し、
前記カバーは、
当該カバーが前記本体の一側に配置された際に前記複数の開口部の列のうちで前記本体の一側の列の開口部と重なり、当該カバーが前記本体の他側に配置された際に前記複数の開口部の列のうちで前記本体の一側の列の開口部と重ならないように形成された第１開口部と、
当該カバーが前記本体の一側に配置された際に前記複数の開口部の列のうちで前記本体の他側の列の開口部と重ならず、当該カバーが前記本体の他側に配置された際に前記複数の開口部の列のうちで前記本体の他側の列の開口部と重なるように形成された第２開口部と、
を有した請求項３に記載の電子・電気機器用筐体。
【請求項５】
前記本体は、複数の開口部の列が等間隔で並んだ外面を有し、
前記カバーは、
当該カバーが前記本体の一側に配置された際に前記複数の開口部の列のうちで前記本体の一側の列の開口部と重なり、当該カバーが前記本体の中央に配置された際に前記複数の開口部の列のうちで前記本体の一側の列の開口部と重ならず、当該カバーが前記本体の他側に配置された際に前記複数の開口部の列のうちで前記本体の一側の列の開口部と重ならないように形成された第１開口部と、
当該カバーが前記本体の一側に配置された際に前記複数の開口部の列のうちで前記本体の中央の列の開口部と重ならず、当該カバーが前記本体の中央に配置された際に前記複数の開口部の列のうちで前記本体の中央の列の開口部と重なり、当該カバーが前記本体の他側に配置された際に前記複数の開口部の列のうちで前記本体の中央の列の開口部と重ならないように形成された第２開口部と、
当該カバーが前記本体の一側に配置された際に前記複数の開口部の列のうちで前記本体の他側の列の開口部と重ならず、当該カバーが前記本体の中央に配置された際に前記複数の開口部の列のうちで前記本体の中央の列の開口部と重ならず、当該カバーが前記本体１の他側に配置された際に前記複数の開口部の列のうちで前記本体の中央の列の開口部と重なるように形成された第３開口部と、
を有した請求項３に記載の電子・電気機器用筐体。
【請求項６】
前記本体は、前記複数の開口部がスリット状に形成された外面を有し、
前記カバーは、前記本体に取り付けられる位置を変化させることにより前記複数の開口部と重なるスリットの位置と前記複数の開口部と重ならないスリットの位置とを変更するように形成された請求項３に記載の電子・電気機器用筐体。
【請求項７】
前記本体は、前記複数の開口部が偏った位置に形成された外面を有した請求項３に記載の電子・電気機器用筐体。
【請求項８】
複数の開口部が設けられた外面を有し、電子・電気部品を収納した本体と、
前記複数の開口部を外部から遮蔽し、前記複数の開口部との間に隙間を形成したカバーと、
を備えた電子・電気機器用筐体。
【発明の詳細な説明】
【技術分野】
【０００１】
この発明は電子・電気機器用筐体に関するものである。
【背景技術】
【０００２】
例えば、特許文献１のように、本体内部の温度上昇を感温駆動素子で検知した際に遮蔽板をスライドさせて本体の開口部を遮蔽する電子・電気機器用筐体が提案されている。当該電子・電気機器用筐体によれば、電子・電気部品の経年劣化により万が一発火した場合でも、外部の機器構成材への延焼を防止することができる。
【先行技術文献】
【特許文献】
【０００３】
【特許文献１】特許第５０５２５８４号公報
【発明の概要】
【発明が解決しようとする課題】
【０００４】
しかしながら、特許文献１に記載のものにおいては、温度検知から遮蔽板のスライド機構まで複雑で高度な技術を組み合わせる必要がある。このため、信頼性の確保が困難である。
【０００５】
この発明は、上述の課題を解決するためになされたものである。すなわち、この発明の目的は、簡易な構成で外部への延焼を防止することができる電子・電気機器用筐体を提供することである。
【課題を解決するための手段】
【０００６】
この発明に係る電子・電気機器用筐体は、複数の開口部が設けられた外面を有し、電子・電気部品を収納した本体と、前記本体に取り付けられる位置を変化させることにより前記複数の開口部のうちで外部へ露出する開口部と外部から遮蔽する開口部とを変更するように形成されたカバーと、を備えたものである。
【０００７】
この発明に係る電子・電気機器用筐体は、複数の開口部が設けられた外面を有し、電子・電気部品を収納した本体と、前記複数の開口部を外部から遮蔽し、前記複数の開口部との間に隙間を形成したカバーと、を備えたものである。
【発明の効果】
【０００８】
この発明によれば、簡易な構成で外部への延焼を防止することができる。
【図面の簡単な説明】
【０００９】
【図１】この発明の実施の形態１における電子・電気機器用筐体の斜視図である。
【図２】この発明の実施の形態１における電子・電気機器用筐体の本体の斜視図である。
【図３】この発明の実施の形態１における電子・電気機器用筐体の本体の平面図である。
【図４】この発明の実施の形態１における電子・電気機器用筐体のカバーの斜視図である。
【図５】この発明の実施の形態１における電子・電気機器用筐体のカバーの平面図である。
【図６】この発明の実施の形態１における電子・電気機器用筐体の平面図である。
【図７】この発明の実施の形態１における電子・電気機器用筐体の平面図である。
【図８】この発明の実施の形態１における電子・電気機器用筐体の縦断面図である。
【図９】この発明の実施の形態１における電子・電気機器用筐体の縦断面図である。
【図１０】この発明の実施の形態１における電子・電気機器用筐体の側面図である。
【図１１】この発明の実施の形態１における電子・電気機器用筐体の側面図である。
【図１２】この発明の実施の形態２における電子・電気機器用筐体のカバーの平面図である。
【図１３】この発明の実施の形態２における電子・電気機器用筐体の平面図である。
【図１４】この発明の実施の形態２における電子・電気機器用筐体の平面図である。
【図１５】この発明の実施の形態２における電子・電気機器用筐体の平面図である。
【図１６】この発明の実施の形態３における電子・電気機器用筐体の斜視図である。
【図１７】この発明の実施の形態４における電子・電気機器用筐体の平面図である。
【発明を実施するための形態】
【００１０】
この発明を実施するための形態について添付の図面に従って説明する。各図中、同一又は相当する部分には同一の符号が付される。当該部分の重複説明は適宜に簡略化ないし省略される。
【００１１】
実施の形態１．
図１はこの発明の実施の形態１における電子・電気機器用筐体の斜視図である。
【００１２】
図１に示すように、電子・電気機器用筐体は、本体１、カバー２を備える。例えば、本体１は、直方体状の金属で形成される。本体１は、電子・電気部品を収納する。例えば、カバー２は、金属で形成される。カバー２は、天面、側面を備える。天面は、本体１の天面を覆う。側面は、本体１の側面に取り付けられる。
【００１３】
次に、図２と図３とを用いて、本体１を説明する。
図２はこの発明の実施の形態１における電子・電気機器用筐体の本体の斜視図である。図３はこの発明の実施の形態１における電子・電気機器用筐体の本体の平面図である。
【００１４】
図２と図３とに示すように、本体１の天面には、複数の開口部１ａが設けられる。複数の開口部１ａの直径は、１ｈ以下である。複数の開口部１ａは、６つの列となるように設けられる。６つの列の間隔は、左右方向において３ｈ：３ｈ：３ｈ：３ｈ：３ｈとなる。
【００１５】
次に、図４と図５とを用いて、カバー２を説明する。
図４はこの発明の実施の形態１における電子・電気機器用筐体のカバーの斜視図である。図５はこの発明の実施の形態１における電子・電気機器用筐体のカバーの平面図である。
【００１６】
図４と図５とに示すように、カバー２の天面には、複数の開口部２ａが設けられる。複数の開口部２ａの直径は、１ｈ以下である。複数の開口部２ａは、６つの列となるように設けられる。６つの列は、左右方向において３ｈ：３ｈ：２ｈ：３ｈ：３ｈとなる。
【００１７】
次に、図６と図７とを用いて、カバー２の左右方向の配置を説明する。
図６と図７はこの発明の実施の形態１における電子・電気機器用筐体の平面図である。
【００１８】
図６においては、カバー２は、本体１の中央から１ｈだけ右側に寄って配置される。この場合、本体１の右側において、開口部２ａは、第１開口部として、開口部１ａと上下方向に重なる。これに対し、本体１の左側において、開口部２ａは、第２開口部として、開口部１ａと上下方向に重ならない。
【００１９】
図７においては、カバー２は、本体１の中央から１へだけ左側に寄って配置される。この場合、本体１の右側において、開口部２ａは、第１開口部として、開口部１ａと上下方向に重ならない。これに対し、本体１の左側においては、開口部２ａは、第２開口部として、開口部１ａと上下方向に重ならない。
【００２０】
次に、図８と図９とを用いて、カバー２の上下方向の配置を説明する。
図８と図９とはこの発明の実施の形態１における電子・電気機器用筐体の縦断面図である。
【００２１】
図８に示すように、電子・電気部品の消費電力が大きい場合、比較的大きな火が発生し得る。この場合、カバー２の天面は、本体１の天面と密着して配置される。図９に示すように、電子・電気部品の消費電力が小さい場合、比較的小さな火が発生し得る。この場合、カバー２の天面は、本体１の天面との間に上下方向の隙間を形成して配置される。
【００２２】
次に、図１０と図１１とを用いて、カバー２の取り付けを説明する。
図１０と図１１はこの発明の実施の形態１における電子・電気機器用筐体の側面図である。
【００２３】
図１０と図１１とに示すように、本体１の側面には、ねじ穴１ｂ、１ｃが形成される。カバー２の側面には、長穴２ｂが形成される。長穴２ｂは、長手方向を鉛直方向にして形成される。
【００２４】
図１０に示すように、ねじ３が長穴２ｂを介してねじ穴１ｂに締め付けられると、カバー２は本体１の右側に取り付けられる。図１１に示すように、ねじ３が長穴２ｂを介してねじ穴１ｃに締め付けられると、カバー２は本体１の左側に取り付けられる。
【００２５】
図１０に示すように、ねじ３が長穴２ｂの上端を貫通する場合は、カバー２の天面は、本体１の天面に密着する。図１１に示すように、ねじ３が長穴２ｂの下端を貫通する場合は、カバー２の天面は、本体１の天面との間に上下方向の隙間を形成する。
【００２６】
以上で説明した実施の形態１によれば、外部へ露出する開口部１ａと外部から遮蔽される開口部１ａとが変更される。この場合、保護対象の部品配置と発火規模の大小に応じて、外部から遮蔽される開口部１ａに対応した位置に延焼を防止する領域を設定すればよい。このため、簡易な構成で外部への延焼を防止することができる。この際、放熱性は、外部へ露出する開口部１ａにより確保される。その結果、耐熱性と安全性が両立する。この際、駆動系の部品は利用されない。このため、延焼防止効果に対し、高い信頼性を得ることができる。
【００２７】
また、電子・電気部品の消費電力が小さい場合、カバー２の天面は、本体１の天面との間に上下方向の隙間を形成して配置される。このため、放熱性をより高めることができる。
【００２８】
また、延焼を防止する領域を本体１の右側又は左側に選択することができる。このため、電子・電気部品の設計変更により保護する領域の位置変更が後々生じても、本体１とカバー２との追加工せずに容易に対応できる。この場合、放熱性と延焼防止の詳細な事前検討が不要となる。その結果、設計の効率化、標準化による効果と加工費の削減とにより電子・電気機器用筐体のコストダウンが見込まれる。
【００２９】
実施の形態２．
図１２はこの発明の実施の形態２における電子・電気機器用筐体のカバーの平面図である。なお、実施の形態１と同一又は相当部分には同一符号を付して説明を省略する。
【００３０】
実施の形態１においては、カバー２の開口部２ａの列は、３：３：２：３：３の間隔で形成されていた。一方、実施の形態２においては、カバー２の開口部２ａの列は、３：２：３：２：３で形成される。
【００３１】
次に、図１３〜図１５を用いて、カバー２の配置を説明する。
図１３〜図１５はこの発明の実施の形態２における電子・電気機器用筐体の平面図である。
【００３２】
図１３においては、カバー２は、本体１の中央から１ｈだけ右側に配置される。この場合、本体１の右側において、開口部２ａは、第１開口部として、開口部１ａと上下方向に重なる。本体１の中央において、開口部２ａは、第２開口部として、開口部１ａと上下方向に重ならない。本体１の左側において、開口部２ａは、第３開口部として、開口部１ａと上下方向に重ならない。
【００３３】
図１４においては、カバー２は、本体１の中央に配置される。この場合、本体１の右側において、開口部２ａは、第１開口部として、開口部１ａと上下方向に重ならない。本体１の中央において、開口部２ａは、第２開口部として、開口部１ａと上下方向に重なる。本体１の左側においては、開口部２ａは、第３開口部として、開口部１ａと上下方向に重ならない。
【００３４】
図１５においては、カバー２は、本体１の中央から１ｈだけ左側に配置される。この場合、本体１の右側において、開口部２ａは、第１開口部として、開口部１ａと上下方向に重ならない。本体１の中央において、開口部２ａは、第２開口部として、開口部１ａと上下方向に重ならない。本体１の左側においては、開口部２ａは、第３開口部として、開口部１ａと上下方向に重なる。
【００３５】
以上で説明した実施の形態２によれば、カバー２を変更するだけで、延焼を防止する領域を本体１１の右側、中央、左側の中から選択することができる。このため、設計をより効率的に行うことができる。
【００３６】
実施の形態３．
図１６はこの発明の実施の形態３における電子・電気機器用筐体の斜視図である。なお、実施の形態１と同一又は相当部分には同一符号を付して説明を省略する。
【００３７】
実施の形態１においては、開口部１ａと開口部２ａとは円形状に形成されていた。一方、実施の形態３においては、開口部１ａと開口部２ａとは縦長のスリット状に形成される。
【００３８】
以上で説明した実施の形態３によれば、開口部１ａと開口部２ａとはスリット状に形成される。このため、放熱性をより高めることができる。
【００３９】
実施の形態４．
図１７はこの発明の実施の形態４における電子・電気機器用筐体の平面図である。なお、実施の形態１と同一又は相当部分には同一符号を付して説明を省略する。
【００４０】
実施の形態１の開口部１ａは、本体１の前後方向の中心線に対して対称に形成されていた。開口部２ａは、カバー２の前後方向の中心線に治して対称に形成されていた。一方、実施の形態４の開口部１ａは、本体１の右側かつ後ろ側に寄せて形成される。開口部２ａは、カバー２の右側かつ後ろ側に寄せて形成される。
【００４１】
以上で説明した実施の形態４によれば、開口部１ａは、本体１の右側かつ後ろ側に寄せて形成される。開口部２ａは、カバー２の右側かつ後ろ側に寄せて形成される。このため、電子・電気部品が本体１の偏った位置に配置された場合でも、外部への延焼を防止することができる。
【００４２】
なお、開口部１ａと開口部２ａの位置は、それぞれ相対的に同じであれば本体１の天面に対して全体的に左右前後のどちらに偏っていてもよい。
【符号の説明】
【００４３】
１  本体、  １ａ  開口部、  １ｂ、１ｃ  ねじ穴、  ２  カバー、  ２ａ  開口部、  ２ｂ  長穴、  ３  ねじ
【図１】
2014213139.tif 000003
【図２】
2014213139.tif 000004
【図３】
2014213139.tif 000005
【図４】
2014213139.tif 000006
【図５】
2014213139.tif 000007
【図６】
2014213139.tif 000008
【図７】
2014213139.tif 000009
【図８】
2014213139.tif 000010
【図９】
2014213139.tif 000011
【図１０】
2014213139.tif 000012
【図１１】
2014213139.tif 000013
【図１２】
2014213139.tif 000014
【図１３】
2014213139.tif 000015
【図１４】
2014213139.tif 000016
【図１５】
2014213139.tif 000017
【図１６】
2014213139.tif 000018
【図１７】
2014213139.tif 000019